【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
テレストリアル媒体に沿って進行する誘導表面波から電気エネルギを取得するように構成された誘導表面波受信構造（Ｒ）であって、前記誘導表面波受信構造（Ｒ）は、複数の誘導表面波受信構造のうちの１つであり、前記複数の誘導表面波受信構造のそれぞれは、前記テレストリアル媒体に沿って進行する別個の対応する誘導表面波から電気エネルギを取得するように構成されている、誘導表面波受信構造（Ｒ）と、
前記誘導表面波を生成する誘導表面導波プローブに結合された励起源において負荷として経験される、前記誘導表面波受信構造（Ｒ）に結合された電気的負荷（４０３）と、
前記電気的負荷に結合されており、前記複数の誘導表面波受信構造の個々の誘導表面波受信構造の間で前記電気的負荷を切換えるように構成されたスイッチ（４４６）と、
前記電気的負荷に結合されており、前記電気的負荷によって消費された電力量を監視するように構成された電力計（４０９）と、
を備える電力受信器（４００）。
【請求項２】
プロセッサ（４１３）と、
メモリ（４１６）と、
ネットワークインターフェース（４１９）と、
前記メモリに記憶されており、前記プロセッサによって実行可能な命令セットを含むアプリケーション（４２６）と、を更に備え、前記命令セットは、当該命令セットが前記プロセッサによって実行されると、前記電力受信器に対して、少なくとも、
前記電力計によって前記メモリに記憶された、前記電気的負荷によって消費された前記電力量を決定し（５０３）、
前記ネットワークインターフェースを介して前記電力受信器の一意の識別子及び前記電気的負荷によって消費された前記電力量を含むメッセージを電力供給業者に送信する（５１３）、動作を実行させる、請求項１に記載の電力受信器（４００）。
【請求項３】
前記ネットワークインターフェースは、セルラーネットワークインターフェースを含む、請求項２に記載の電力受信器（４００）。
【請求項４】
プロセッサ（４１３）と、
メモリ（４１６）と、
前記メモリに記憶されており、前記プロセッサによって実行可能な命令セットを含むアプリケーション（４２９）と、を更に備え、前記命令セットは、当該命令セットが前記プロセッサによって実行されると、前記電力受信器に対して、少なくとも、
前記複数の誘導表面波受信構造の第１の誘導表面波受信構造によって受信される第１の誘導表面波の第１の供給業者によって請求される第１の価格を識別し（６０３）、
前記複数の誘導表面波受信構造の第２の誘導表面波受信構造によって受信される第２の誘導表面波の第２の供給業者によって請求される第２の価格を識別し（６０３）、
前記第２の価格が前記第１の価格未満であることを判定し（６０９）、
前記複数の誘導表面波受信構造の前記第１の誘導表面波受信構造と前記複数の誘導表面波受信構造の前記第２の誘導表面波受信構造との間で前記電気的負荷を切換える（６１３）、動作を実行させる、請求項１に記載の電力受信器（４００）。
【請求項５】
ネットワークインターフェースを更に備え、前記命令セットは、当該命令セットが前記プロセッサによって実行されると、前記電力受信器に対して、少なくとも、
前記複数の誘導表面波受信構造の前記第１の誘導表面波受信構造から前記複数の誘導表面波受信構造の前記第２の誘導表面波受信構造に前記電気的負荷が切換えられた時間を示すタイムスタンプを生成し、
前記ネットワークインターフェースを介して前記タイムスタンプ及び前記電力受信器の一意の識別子を含むメッセージを前記第２の供給業者に送信する、追加の動作を実行させる、請求項４に記載の電力受信器（４００）。
【請求項６】
プロセッサ（４１３）と、
メモリ（４１６）と、
前記メモリに記憶されており、前記プロセッサによって実行可能な命令セットを含むアプリケーション（４２９）と、を更に備え、前記命令セットは、当該命令セットが前記プロセッサによって実行されると、前記電力受信器に対して、少なくとも、
前記複数の誘導表面波受信構造の第１の誘導表面波受信構造によって受信される第１の誘導表面波に関連付けられた第１のエネルギ源を識別し（７０３）、
前記複数の誘導表面波受信構造の第２の誘導表面波受信構造によって受信される第２の誘導表面波に関連付けられた第２のエネルギ源を識別し（７０９）、
前記第２のエネルギ源がユーザプロファイルにおいて優先されるエネルギ源として指示されていることを判定し（７０９）、
前記複数の誘導表面波受信構造の前記第１の誘導表面波受信構造から前記複数の誘導表面波受信構造の前記第２の誘導表面波受信構造に前記電気的負荷を切換える（７１３）、動作を実行させる、請求項１に記載の電力受信器（４００）。
【請求項７】
第１の誘導表面波受信構造を使用して、第１の誘導表面波の形態で電気エネルギを受信すること（６０３）と、
前記第１の誘導表面波受信構造に結合された電気的負荷に前記電気エネルギを供給すること（６０３）と、
前記第１の誘導表面波受信構造からの前記電気エネルギを前記電気負荷に供給することを中止すること（６１３、７１３）と、
第２の誘導表面波受信構造を使用して、第２の誘導表面波の形態で電気エネルギを受信すること（６１３、７１３）と、
前記第２の誘導表面波受信構造からの前記電気エネルギを前記電気的負荷に供給すること（６１３、７１３）と、
前記電気的負荷によって消費された電力量を測定すること（５０３）と、を含む方法。
【請求項８】
消費された前記電力量を前記誘導表面波の生産者に通知することを更に含む、請求項７に記載の方法。
【請求項９】
前記第１の誘導表面波受信構造に関連付けられた一意の識別子を前記誘導表面波の前記生産者に通知することを更に含む、請求項７又は８に記載の方法。
【請求項１０】
前記第１の誘導表面波受信構造から前記電気エネルギを前記電気的負荷に供給するための前記第１の誘導表面波の第１の供給業者によって請求される第１の価格を識別すること（６０３）と、
前記第２の誘導表面波受信構造から前記電気エネルギを前記電気的負荷に供給するための前記第２の誘導表面波の第２の供給業者によって請求される第２の価格を識別すること（６０６）と、
前記第２の価格が前記第１の価格未満であることを判定すること（６０９）と、を更に含み、
前記第２の価格が前記第１の価格未満であることを判定したことに応じて、前記第１の誘導表面波受信構造からの前記電気エネルギを前記電気的負荷に供給することを中止することが、行なわれ（６０９）、
前記第２の価格が前記第１の価格未満であることを判定したことに応じて、前記第２の誘導表面波受信構造から前記電気エネルギを前記電気的負荷に供給することが、行なわれる（６０９）、請求項７〜９のいずれか一項に記載の方法。
【請求項１１】
前記第２の誘導表面波受信構造から前記電気エネルギが前記電気的負荷に供給され始めた時間を示すタイムスタンプを生成することと、
前記ネットワークインターフェースを介して前記タイムスタンプ及び前記第２の誘導表面波受信構造に関連付けられた一意の識別子を含むメッセージを前記第２の供給業者に送信することと、を更に含む、請求項７〜１０のいずれか一項に記載の方法。
【請求項１２】
前記メッセージは、前記第２の誘導表面波受信構造の現在の位置を更に含む、請求項１１に記載の方法。
【請求項１３】
前記第１の誘導表面波に関連付けられた第１のエネルギ源を識別すること（７０３）と、
前記第２の誘導表面波受信構造によって受信される前記第２の誘導表面波に関連付けられた第２のエネルギ源を識別すること（７０９）と、
前記第２のエネルギ源がユーザプロファイルにおいて優先されるエネルギ源として指示されていることを判定すること（７０９）と、を更に含み、
前記第２のエネルギ源が前記優先のエネルギ源であることを判定したことに応じて、前記第１の誘導表面波受信構造からの前記電気エネルギを前記電気的負荷に供給することを中止することが、行なわれ（７１３）、
前記第２のエネルギ源が前記優先のエネルギ源であることを判定したことに応じて、前記第２の誘導表面波受信構造から前記電気エネルギを前記電気的負荷に供給することが、行なわれる（７１３）、請求項７〜１２のいずれか一項に記載の方法。
【手続補正２】
【補正対象書類名】明細書
【補正対象項目名】０００１
【補正方法】変更
【補正の内容】
【０００１】
（関連出願の相互参照）
本出願は、「Ｍｅａｓｕｒｉｎｇ  ａｎｄ  Ｒｅｐｏｒｔｉｎｇ  Ｐｏｗｅｒ  Ｒｅｃｅｉｖｅｄ  ｆｒｏｍ  Ｇｕｉｄｅｄ  Ｓｕｒｆａｃｅ  Ｗａｖｅｓ」と題され２０１５年９月８日に出願された米国特許出願第１４／８４７，２３０号の優先権及び利益を主張する。
【手続補正３】
【補正対象書類名】明細書
【補正対象項目名】０００２
【補正方法】変更
【補正の内容】
【０００２】
本出願は、２０１３年３月７日に出願され出願番号第１３／７８９，５３８号が付与され、公開番号第２０１４／０２５２８８６（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国特許非暫定出願に関連する。本出願はまた、２０１３年３月７日に出願され出願番号第１３／７８９，５２５号が付与され、公開番号第２０１４／０２５２８６５（Ａ１）号として２０１４年９月１１日に公開された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国特許非暫定出願に関連する。本出願は更に、２０１４年９月１０日に出願され出願番号第１４／４８３，０８９号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅ  Ｍｏｄｅｓ  ｏｎ  Ｌｏｓｓｙ  Ｍｅｄｉａ」と題された同時係属の米国特許非暫定出願に関連する。本出願は更に、２０１５年６月２日に出願され出願番号第１４／７２８，５０７号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属の米国特許非暫定出願に関連する。本出願は更に、２０１５年６月２日に出願され出願番号第１４／７２８，４９２号が付与された「Ｅｘｃｉｔａｔｉｏｎ  ａｎｄ  Ｕｓｅ  ｏｆ  Ｇｕｉｄｅｄ  Ｓｕｒｆａｃｅ  Ｗａｖｅｓ」と題された同時係属の米国特許非暫定出願に関連する。
【手続補正４】
【補正対象書類名】明細書
【補正対象項目名】００４１
【補正方法】変更
【補正の内容】
【００４１】
誘導波及び放射伝搬それぞれに対する曲線１０３及び１０６の形状が興味深い。放射電界強度曲線１０６は、幾何級数的に低下（１／ｄ、式中ｄは距離である）し、これは、両対数目盛上で直線として示されている。一方、誘導電界強度曲線１０３は、
【数１】
2018528430.tif 000001
の特徴的な指数関数的減衰を有し、両対数目盛上で独特の屈曲部１０９を呈する。誘導電界強度曲線１０３及び放射電界強度曲線１０６は、点１１２で交差し、これは交差距離で発生する。交差点１１２での交差距離未満の距離で、誘導電磁界の電界強度は、放射電磁界の電界強度より、大部分の位置で著しく大きい。交差距離より大きな距離では、その反対となる。したがって、誘導電界強度曲線及び放射電界強度曲線１０３及び１０６は、誘導電磁界と放射電磁界との間の根本的な伝搬の差異を更に示している。誘導電磁界と放射電磁界との間の差異の非公式な説明のために、Ｍｉｌｌｉｇａｎ，Ｔ．のＭｏｄｅｒｎ  Ａｎｔｅｎｎａ  Ｄｅｓｉｇｎ（ＭｃＧｒａｗ−Ｈｉｌｌ，１ｓｔ  Ｅｄｉｔｉｏｎ，１９８５，８〜９ページ）が参照される。
【手続補正５】
【補正対象書類名】明細書
【補正対象項目名】００４３
【補正方法】変更
【補正の内容】
【００４３】
空の空間において、波動方程式は、固有関数が複素波数平面上で固有値の連続スペクトルを保有する微分演算子である。この横電磁（transverse electro-magnetic）（ＴＥＭ）界は、放射電磁界と呼ばれ、それらの伝搬電界は、「ヘルツ波」と呼ばれる。しかし、導電境界の存在において、波動方程式に境界条件を加えると、数学的に、連続スペクトルに加えて離散スペクトルの合計からなる波数のスペクトル表現となる。このために、Ｓｏｍｍｅｒｆｅｌｄ，Ａ．の「Ｕｂｅｒ  ｄｉｅ  Ａｕｓｂｒｅｉｔｕｎｇ  ｄｅｒ  Ｗｅｌｌｅｎ  ｉｎ  ｄｅｒ  Ｄｒａｈｔｌｏｓｅｎ  Ｔｅｌｅｇｒａｐｈｉｅ」（Ａｎｎａｌｅｎ  ｄｅｒ  Ｐｈｙｓｉｋ，Ｖｏｌ．２８，１９０９，６６５〜７３６ページ）を参照する。また、「Ｐａｒｔｉａｌ  Ｄｉｆｆｅｒｅｎｔｉａｌ  Ｅｑｕａｔｉｏｎｓ  ｉｎ  Ｐｈｙｓｉｃｓ−Ｌｅｃｔｕｒｅｓ  ｏｎ  Ｔｈｅｏｒｅｔｉｃａｌ  Ｐｈｙｓｉｃｓ：Ｖｏｌｕｍｅ  ＶＩ」（Ａｃａｄｅｍｉｃ  Ｐｒｅｓｓ，１９４９，２３６〜２８９ページ，２９５〜２９６ページ）の第６章として刊行されたＳｏｍｍｅｒｆｅｌｄ，Ａ．の「Ｐｒｏｂｌｅｍｓ  ｏｆ  Ｒａｄｉｏ」、Ｃｏｌｌｉｎ、Ｒ．Ｅ．の「Ｈｅｒｔｚｉａｎ  Ｄｉｐｏｌｅ  Ｒａｄｉａｔｉｎｇ  Ｏｖｅｒ  ａ  Ｌｏｓｓｙ  Ｅａｒｔｈ  ｏｒ  Ｓｅａ：Ｓｏｍｅ  Ｅａｒｌｙ  ａｎｄ  Ｌａｔｅ  ２０ｔｈ  Ｃｅｎｔｕｒｙ  Ｃｏｎｔｒｏｖｅｒｓｉｅｓ」（ＩＥＥＥ  Ａｎｔｅｎｎａｓ  ａｎｄ  Ｐｒｏｐａｇａｔｉｏｎ  Ｍａｇａｚｉｎｅ，Ｖｏｌ．４６，Ｎｏ．２，Ａｐｒｉｌ  ２００４，６４〜７９ページ）、並びにＲｅｉｃｈ，Ｈ．Ｊ．、Ｏｒｄｎｕｎｇ，Ｐ．Ｆ、Ｋｒａｕｓｓ，Ｈ．Ｌ．及びＳｋａｌｎｉｋ，Ｊ．Ｇ．の「Ｍｉｃｒｏｗａｖｅ  Ｔｈｅｏｒｙ  ａｎｄ  Ｔｅｃｈｎｉｑｕｅｓ」（Ｖａｎ  Ｎｏｓｔｒａｎｄ，１９５３，２９１〜２９３ページ）を参照されたい。
【手続補正６】
【補正対象書類名】明細書
【補正対象項目名】００８７
【補正方法】変更
【補正の内容】
【００８７】
ヘリカル巻線コイルの位相遅延θｃは、Ｃｏｒｕｍ，Ｋ．Ｌ．及びＪ．Ｆ．Ｃｏｒｕｍの「ＲＦ  Ｃｏｉｌｓ，Ｈｅｌｉｃａｌ  Ｒｅｓｏｎａｔｏｒｓ  ａｎｄ  Ｖｏｌｔａｇｅ  Ｍａｇｎｉｆｉｃａｔｉｏｎ  ｂｙ  Ｃｏｈｅｒｅｎｔ  Ｓｐａｔｉａｌ  Ｍｏｄｅｓ」（Ｍｉｃｒｏｗａｖｅ  Ｒｅｖｉｅｗ，Ｖｏｌ．７，Ｎｏ．２，Ｓｅｐｔｅｍｂｅｒ  ２００１，３６〜４５ページ）により説明されているように、マクスウェル方程式から決定することができる。Ｈ／Ｄ＞１のヘリカルコイルに対して、コイルの縦軸に沿った波動の伝搬速度（υ）と光速（ｃ）の比、又は「速度係数」は、以下の式により得られる。
【数５１】
2018528430.tif 000002
式中、Ｈは、ソレノイドコイルの軸方向長さであり、Ｄは、コイル直径であり、Ｎは、コイルの巻数であり、ｓ＝Ｈ／Ｎは、コイルの巻線間隔（又はらせんピッチ）であり、λｏは、自由空間の波長である。この関係に基づいて、ヘリカルコイルの電気長又は位相遅延は、以下の式により得られる。
【数５２】
2018528430.tif 000003
らせんがらせん状に巻かれている、又は短くかつ太い場合、原理は同じであるが、Ｖｆ及びθｃは、試験的測定により得る方がより容易である。ヘリカル伝送線の特性（波動）インピーダンスに対する表現もまた、以下の式のように導出されている。
【数５３】
2018528430.tif 000004
【手続補正７】
【補正対象書類名】明細書
【補正対象項目名】００９２
【補正方法】変更
【補正の内容】
【００９２】
この解析はまた、誘導表面導波プローブ２００の下の実効影像電荷Ｑ１'の存在を仮定することにより、損失性導電媒体２０３に対しても使用することができる。実効影像電荷Ｑ１'は、図３に示すように、導電性影像グラウンド平面１３０回りに帯電端子Ｔ１上の電荷Ｑ１と同時に発生する。しかし、影像電荷Ｑ１'は、完全導体の場合になるように、単になんらかの実数の深さに配置され、かつ帯電端子Ｔ１上の一次ソース電荷Ｑ１と１８０°位相がずれているのではない。むしろ、損失性導電媒体２０３（例えば、テレストリアル媒体）は、位相シフトした影像を提示する。すなわち、影像電荷Ｑ１'は、損失性導電媒体２０３の表面（又は物理的境界）の下の複素深さにある。複素像深さの説明のために、Ｗａｉｔ，Ｊ．Ｒ．の「Ｃｏｍｐｌｅｘ  Ｉｍａｇｅ  Ｔｈｅｏｒｙ−Ｒｅｖｉｓｉｔｅｄ」（ＩＥＥＥ  Ａｎｔｅｎｎａｓ  ａｎｄ  Ｐｒｏｐａｇａｔｉｏｎ  Ｍａｇａｚｉｎｅ，Ｖｏｌ．３３，Ｎｏ．４，Ａｕｇｕｓｔ  １９９１，２７〜２９ページ）を参照する。
【手続補正８】
【補正対象書類名】明細書
【補正対象項目名】０２５１
【補正方法】削除
【補正の内容】
【手続補正９】
【補正対象書類名】図面
【補正対象項目名】図２２
【補正方法】変更
【補正の内容】
【図２２】
2018528430.tif 000005